(57)【要約】【課題】意匠性及び耐久性に優れ、また改装が容易でサッシ枠体の見込み寸法違いにも対応可能なサッシを提供する。【解決手段】補助枠体２は建物駆体の開口部内周面に沿う内周面部２４と、内周面部２４の室外端部から建物駆体の室外面に沿うように伸びる室外固定面部２５と、内周面部２４から内周側に伸びる内周突出部２６とを有し、室外固定面部２５は建物駆体の室外面に固着され、内周突出部２６は先端部がサッシ枠体１の室外端部と当接すると共に、建物駆体の室外面に沿うように設けられる外装材３３の開口部における見付方向突出幅と同じまたは短く形成される。【選択図】図２
2010144468.tif 000002
【特許請求の範囲】
【請求項１】
建物駆体の開口部に補助枠体を取付け、該補助枠体の内周側にサッシ枠体を取付けてなるサッシにおいて、
前記補助枠体は前記建物駆体の開口部内周面に沿う内周面部と、該内周面部の室外端部から前記建物駆体の室外面に沿うように伸びる室外固定面部と、前記内周面部から内周側に伸びる内周突出部とを有し、
前記室外固定面部は前記建物駆体の室外面に固着され、前記内周突出部は先端部が前記サッシ枠体の室外端部と当接すると共に、前記建物駆体の室外面に沿うように設けられる外装材の開口部における見付方向突出幅と同じまたは短く形成されることを特徴とするサッシ。
【請求項２】
前記補助枠体は前記内周面部の内周突出部より室内側に枠固定片部を突出状に備え、該枠固定片部に前記サッシ枠体が固着されることを特徴とする請求項１記載のサッシ。
【請求項３】
前記枠固定片部には連結部材が固定され、該連結部材に前記サッシ枠体が固定されることを特徴とする請求項２記載のサッシ。
【請求項４】
前記連結部材は前記枠固定片部に当接固定される補助枠固定部と、該補助枠固定部と一体的で前記サッシ枠体の外周面側に固定されるサッシ枠固定部とを有することを特徴とする請求項３記載のサッシ。
【請求項５】
前記サッシ枠体は室内端部が前記建物駆体の室内面と離隔し、前記サッシ枠体と補助枠体の室内側露出部を覆うように、前記サッシ枠体の室内端部と建物駆体の室内面との間にカバー材が室内側から取付けられることを特徴とする請求項１〜４のいずれか１項に記載のサッシ。
【請求項６】
補助枠体が取付けられた建物駆体の開口部に旧サッシ枠体に替えて新サッシ枠体を取付けるサッシの改装方法において、
前記補助枠体は前記建物駆体の開口部内周面に沿う内周面部と、該内周面部の室外端部から前記建物駆体の室外面に沿って固定される室外固定面部と、前記内周面部から内周側に伸びる内周突出部とが形成され、
前記旧サッシ枠体の室内側に取付けられているカバー材を室内側から取り外して前記旧サッシ枠体及び補助枠体を室内側に露出させ、前記旧サッシ枠体を前記補助枠体から取り外し、
前記新サッシ枠体の外周面に形成された外周フィン部を、室内側から前記補助枠体の内周突出部に対し当接固定し、前記新サッシ枠体の室内側からカバー材を取付けて、該カバー材により前記新サッシ枠体と補助枠体の室内側露出部を覆うことを特徴とするサッシの改装方法。
【発明の詳細な説明】
【技術分野】
【０００１】
本発明は、建物駆体の開口部に取付けられるサッシ及びサッシの改装方法に関し、特に建物駆体に補助枠体を取付け、この補助枠体に内周側にサッシ枠体を取付けてなるサッシ及びサッシの改装方法に関する。
【背景技術】
【０００２】
従来、サッシを改装する方法としては、大きく分けて２つの手段がある。一つは、サッシを取替える際に、建物駆体の開口部に固定された既存のサッシ枠体を取り外し、新しいサッシ枠体を取付けるものである。もう一つは、建物駆体の開口部に固定された既存のサッシ枠体をそのままにして、これに対し新しいサッシ枠体を取付けるものである。
【０００３】
前者の手段においては、サッシ枠体における開口幅を改装の前後で同じとすることができるが、取替時に建物駆体を傷つけることとなり、また工期やコストも多くかかる。後者の手段においては、工期やコストを抑えることはできるが、開口幅が改装前よりも小さくなってしまうという問題があった。したがって、前者の手段は大掛かりなリフォーム時に用いられ、後者の手段は簡易なリフォーム時に用いられるのが一般的である。
【０００４】
近年、住宅の寿命は長くなる傾向にあり、また極めて長期に渡って使われることを前提とした住宅が建設されることも多い。しかし、サッシの寿命は一般的に住宅の寿命より短いため、サッシの寿命ごとに改装を行う必要が出てくる。このように定期的にサッシの改装を行うことが予定されている場合に、サッシ枠体を着脱自在な補助枠体を建物駆体の開口部に取付けておき、新旧のサッシ枠の取替を補助枠体に対して行うことで、外壁を傷つけず、開口幅を小さくすることがないサッシとすることができる。このようなサッシとしては、例えば特許文献１に挙げるようなものがある。
【特許文献１】特開２００５−３２０７３９号公報
【発明の開示】
【発明が解決しようとする課題】
【０００５】
しかし、従来のサッシにおいては、補助枠体が室内あるいは室外側に露出するものであったため、意匠性を損ねると共に、長期に渡って建物駆体に取付けられた状態となる補助枠体の耐久性の点でも問題があった。また、建物駆体の室内外に設けられる外装材や内装材との関係があまり考慮されていないため、改装の際にはこれらを全て取り外す必要があった。さらには、サッシ枠体の見込み寸法が変わった場合には対応できないという問題もあった。
【０００６】
本発明は前記課題を鑑みてなされたものであり、意匠性及び耐久性に優れ、また改装が容易でサッシ枠体の見込み寸法違いにも対応可能なサッシ及びサッシの改装方法を提供することを目的とする。
【課題を解決するための手段】
【０００７】
前記課題を解決するため、本発明に係るサッシは、建物駆体の開口部に補助枠体を取付け、該補助枠体の内周側にサッシ枠体を取付けてなるサッシにおいて、
前記補助枠体は前記建物駆体の開口部内周面に沿う内周面部と、該内周面部の室外端部から前記建物駆体の室外面に沿うように伸びる室外固定面部と、前記内周面部から内周側に伸びる内周突出部とを有し、
前記室外固定面部は前記建物駆体の室外面に固着され、前記内周突出部は先端部が前記サッシ枠体の室外端部と当接すると共に、前記建物駆体の室外面に沿うように設けられる外装材の開口部における見付方向突出幅と同じまたは短く形成されることを特徴として構成されている。
【０００８】
また、本発明に係るサッシは、前記補助枠体は前記内周面部の内周突出部より室内側に枠固定片部を突出状に備え、該枠固定片部に前記サッシ枠体が固着されることを特徴として構成されている。
【０００９】
さらに、本発明に係るサッシは、前記枠固定片部には連結部材が固定され、該連結部材に前記サッシ枠体が固定されることを特徴として構成されている。
【００１０】
さらにまた、本発明に係るサッシは、前記連結部材は前記枠固定片部に当接固定される補助枠固定部と、該補助枠固定部と一体的で前記サッシ枠体の外周面側に固定されるサッシ枠固定部とを有することを特徴として構成されている。
【００１１】
そして、本発明に係るサッシは、前記サッシ枠体は室内端部が前記建物駆体の室内面と離隔し、前記サッシ枠体と補助枠体の室内側露出部を覆うように、前記サッシ枠体の室内端部と建物駆体の室内面との間にカバー材が室内側から取付けられることを特徴として構成されている。
【００１２】
また、本発明に係るサッシの改装方法は、補助枠体が取付けられた建物駆体の開口部に旧サッシ枠体に替えて新サッシ枠体を取付けるサッシの改装方法において、
前記補助枠体は前記建物駆体の開口部内周面に沿う内周面部と、該内周面部の室外端部から前記建物駆体の室外面に沿って固定される室外固定面部と、前記内周面部から内周側に伸びる内周突出部とが形成され、
前記旧サッシ枠体の室内側に取付けられているカバー材を室内側から取り外して前記旧サッシ枠体及び補助枠体を室内側に露出させ、前記旧サッシ枠体を前記補助枠体から取り外し、
前記新サッシ枠体の外周面に形成された外周フィン部を、室内側から前記補助枠体の内周突出部に対し当接固定し、前記新サッシ枠体の室内側からカバー材を取付けて、該カバー材により前記新サッシ枠体と補助枠体の室内側露出部を覆うことを特徴として構成されている。
【発明の効果】
【００１３】
本発明に係るサッシによれば、室外固定面部は建物駆体の室外面に固着され、内周突出部は先端部がサッシ枠体の室外端部と当接すると共に、建物駆体の室外面に沿うように設けられる外装材の開口部における見付方向突出幅と同じまたは短く形成されることにより、補助枠体が外部に露出しないようにすることができ、長期の使用に伴う補助枠体の劣化速度を小さくすることができる。
【００１４】
また、本発明に係るサッシによれば、補助枠体は内周面部の内周突出部より室内側に枠固定片部を突出状に備え、枠固定片部にサッシ枠体が固着されることにより、通常のサッシ枠体を補助枠体に固定することができる。
【００１５】
さらに、本発明に係るサッシによれば、枠固定片部には連結部材が固定され、連結部材にサッシ枠体が固定されることにより、見込寸法の異なるサッシ枠体であっても補助枠体に取付けることができる。
【００１６】
さらにまた、本発明に係るサッシによれば、連結部材は枠固定片部に当接固定される補助枠固定部と、補助枠固定部と一体的でサッシ枠体の外周面側に固定されるサッシ枠固定部とを有することにより、連結部材に対して通常のサッシ枠体を固定することができる。
【００１７】
そして、本発明に係るサッシによれば、サッシ枠体は室内端部が建物駆体の室内面と離隔し、サッシ枠体と補助枠体の室内側露出部を覆うように、サッシ枠体の室内端部と建物駆体の室内面との間にカバー材が室内側から取付けられることにより、内装材を傷つけることなく、カバー材を取り外すだけでサッシ枠体の取替を可能とすることができる。
【００１８】
また、本発明に係るサッシの改装方法によれば、新サッシ枠体は、外周面に形成された外周フィン部が室内側から補助枠体の内周突出部に対し当接固定され、新サッシ枠体の室内側からカバー材を取付けて、カバー材により新サッシ枠体と補助枠体の室内側露出部を覆うことにより、カバー材を室内側から取り外すだけでサッシ枠体を室内側から取り外すことができるようになり、容易にサッシ枠体の取替作業を行うことができる。
【発明を実施するための最良の形態】
【００１９】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態におけるサッシは、建物駆体の開口部に対して補助枠体２が取付けられ、その内周側にはサッシ枠体１が取付けられると共に、サッシ枠体１内にはガラス板からなるパネル体３が納められてなる、いわゆる嵌め殺し窓として構成されている。
【００２０】
本実施形態のサッシは、補助枠体２が建物駆体の開口部に取付けられたままの状態で、サッシ枠体１を補助枠体２に対して着脱することで、サッシ枠体１が古くなった場合などにおいて、古いサッシ枠体１を新しいサッシ枠体１に取替えることのできるものである。
【００２１】
サッシ枠体１は、サッシ上枠１０とサッシ下枠１１及び左右のサッシ縦枠１２、１２を方形状に枠組みして構成されている。また、補助枠体２は補助上枠２０と補助下枠２１及び左右の補助縦枠２２、２２を方形状に枠組みして構成されている。サッシ枠体１には、パネル体３の室外面を保持する室外押圧片１３が形成され、それと対向するようにパネル体３の室内面側には押縁部材１４が取付けられ、これら室外押圧片１３と押縁部材１４により、パネル体３を保持固定している。
【００２２】
補助上枠２０と補助縦枠２２は、建物駆体の開口部内周面３０に沿う内周面部２４を備え、内周面部２４の室外端部から建物駆体の室外面３１に沿うように伸びる室外固定面部２５と、内周面部２４の室外側において補助枠体２の内周側に向かって伸びる内周突出部２６とを有している。また、内周面部２４の室内端部には、補助枠体２の内周側に向かって伸びる枠固定片部２８が形成され、さらにその根元部から室内側に向かって伸びる室内固定部２９も形成されている。
【００２３】
図３には、補助枠体２に対するサッシ枠体１の分解横断面図を示している。室外固定面部２５は、建物駆体の室外面３１に当接すると共に、ねじ止め固定される。また、室内固定部２９は、建物駆体の開口部内周面３０に当接すると共に、ねじ止め固定される。これらによって、補助上枠２０と補助縦枠２２は、それぞれ建物駆体に対して固定されている。
【００２４】
内周面部２４から補助枠体２の内周側に向かって伸びる内周突出部２６は、先端部に気密材２７を有しており、サッシ枠体１の室外端部に対し当接して、補助枠体２とサッシ枠体１の間の気密性及び水密性を確保するようにしている。
【００２５】
ここで、建物駆体の室外面３１に沿うように外装材３３が設けられていて、外装材３３は開口部の見付方向内側に突出している。補助上枠２０と補助縦枠２２の内周突出部２６は、先端部の位置が外装材３３の見付方向内周端部と同じ位置となるようにされて、外装材３３よりも見付方向内側に突出しない長さに形成されている。なお、内周突出部２６は、外装材３３から見付方向内側に突出しない長さであればよく、したがってその長さを外装材３３の見付方向突出幅よりも短くなるようにしてもよい。
【００２６】
内周面部２４において内周突出部２６よりも室内側に配置される枠固定片部２８は、内周突出部２６よりも突出長さが短く形成されている。このため、補助枠体２において最も内周側に突出しているのは、内周突出部２６となる。この内周突出部２６が、外装材３３の見付方向突出幅より突出しない長さを有して形成されているので、補助枠体２において補助上枠２０と補助縦枠２２は、室外側の面が外部に露出しないこととなる。
【００２７】
また、サッシ上枠１０とサッシ縦枠１２の室外突出部１５が、補助上枠２０と補助縦枠２２の内周突出部２６の先端部にそれぞれ当接し、サッシ上枠１０とサッシ縦枠１２の外周フィン部１６が、補助上枠２０と補助縦枠２２の枠固定片部２８に対して室内側からそれぞれ当接するので、補助上枠２０と補助縦枠２２の各内周面部２４は、それぞれサッシ上枠１０とサッシ縦枠１２によって覆われて、外部に露出しない。このように、補助上枠２０と補助縦枠２２は、外装材３３及びサッシ枠体１によって外部に露出しないようにされている。
【００２８】
補助下枠２１は、補助上枠２０や補助縦枠２２と同様、内周面部２４と室外固定面部２５、枠固定片部２８及び室内固定部２９を有している。一方で、補助下枠２１は内周突出部２６を有していないが、補助下枠２１の内周面部２４はサッシ下枠１１によって覆われ、また補助下枠２１の室外面側には水切り部材１８が設けられて、これらによって補助下枠２１が露出しないようにされている。
【００２９】
サッシ枠体１の室内側には、四周に渡ってアングル部１７が設けられる。このアングル部１７から建物駆体の室内面３２に設けられる内装材３４に渡って、室内側からカバー材２３が設けられる。カバー材２３は、内周端でアングル部１７に対して当接固定され、外周端で内装材３４に当接される。サッシ枠体１は、室内端部が建物駆体の室内面３２と離隔するように形成されており、サッシ枠体１の室内側と建物駆体の開口部によって凹状の空間部が四周に渡って形成される。この空間部を塞ぐようにカバー材２３が室内側から取付けられる。
【００３０】
カバー材２３は、このように枠体１の室内端と内装材３４の間を渡すように、室内側から取付けられるので、サッシの改装の際には、単に枠体１から取り外すだけでサッシ枠体１と補助枠体２を室内側に露出させサッシ枠体１を取り外し自在とすることができて、内装材３４に影響を与えることがない。また、カバー材２３によって枠体１及び補助枠体２の室内側面を覆うこととなるので、これら枠体１及び補助枠体２を室内側に露出させず、意匠性を良好にすることができる。
【００３１】
以上のように、建物駆体に固定される補助枠体２は、最も内周側に突出する内周突出部２６が、外装材３３の見付方向突出幅よりも突出しないように形成され、内周突出部２６の先端部はサッシ枠体１の室外端と当接しているので、補助枠体２が外部に露出しないようにすることができ、長期の使用に伴う補助枠体２の劣化速度を小さくすることができる。また、補助枠体２は外装材３３とサッシ枠体１及びカバー材２３により外部に露出しないので、意匠性も良好にすることができる。
【００３２】
サッシを改装する際、サッシ枠体１の見込寸法が異なる場合、そのままでは補助枠体２に取付けることができない。この場合には、連結部材を介して補助枠体２に対しサッシ枠体１を取付ける。図４には見込寸法が異なるサッシ枠体１を取付けた場合の縦断面図を、図５には見込寸法が異なるサッシ枠体１を取付けた場合の横断面図を、それぞれ示している。図４及び図５において、補助枠体２とその建物駆体に対する取付構造は、図１及び図２と全く同じである。
【００３３】
図４及び図５においては、サッシ枠体１の見込方向寸法が図１及び図２よりも大きい。このため、サッシ枠体１の補助枠体２に対する固定位置が、図１及び図２とは異なっている。図４に示すように、サッシ上枠１０は、上連結部材４０を介して補助上枠２０に対して固定されている。上連結部材４０は、補助上枠２０の枠固定片部２８に対して室内側から当接、ねじ止めされる補助枠固定部４３と、サッシ上枠１０の外周面に当接、係合されるサッシ枠固定部４４とで、断面略Ｌ字状をなすように形成されている。
【００３４】
また、サッシ下枠１１は、下連結部材４１を介して補助下枠２１に対して固定されている。下連結部材４１は、補助下枠２１の枠固定片部２８に対して室内側から当接、ねじ止めされる補助枠固定部４３と、サッシ下枠１１の外周面に当接、係合されるサッシ枠固定部４４とで、略一直線状をなすように形成されている。
【００３５】
図５に示すように、サッシ縦枠１２は、縦連結部材４２を介して補助縦枠２２に対して固定されている。縦連結部材４２は、補助縦枠２２の枠固定片部２８に対して室内側から当接、ねじ止めされる補助枠固定部４３と、サッシ縦枠１２の外周面に形成される係止片１９に対して係止固定されるサッシ枠固定部４４とで、断面略Ｌ字状をなすように形成されている。
【００３６】
このように、連結部材を介してサッシ枠体１を補助枠体２に対して取付けることで、サッシ枠体１を取替える際に、見込方向寸法が異なるものであっても用いることができ、将来、サッシの規格が変更されるなどした場合であっても、補助枠体２を取り外すことなくそのまま用いることができる。
【００３７】
本実施形態では、補助枠体２に取付けるサッシ枠体１は、嵌め殺し窓を構成するものであるが、その他の種類の窓を構成するものであってもよい。図６には縦辷り出し窓を構成する場合のサッシの縦断面図を、図７には縦辷り出し窓を構成する場合のサッシの横断面図を、それぞれ示している。
【００３８】
図６及び図７において、サッシ枠体１は内部に開閉自在な障子４を納めている。障子４は、框体５内にガラス板からなるパネル体３を納めてなり、框体５にはサッシ枠体１に対して係脱自在な操作ハンドル６が設けられる。これに対応して、サッシ枠体１の形状も図１及び図２のものとは異なっているが、補助枠体２に対する取付構造は図１及び図２と同様である。このように、縦辷り出し窓を構成する場合においても、本発明を適用することができ、また引き違いサッシなどさらに他の種類の窓であってもよい。
【００３９】
以上、本発明の実施形態について説明したが、本発明の適用は本実施形態には限られず、その技術的思想の範囲内において様々に適用されうるものである。
【図面の簡単な説明】
【００４０】
【図１】本実施形態におけるサッシの縦断面図である。
【図２】本実施形態におけるサッシの横断面図である。
【図３】補助枠体に対するサッシ枠体の分解横断面図である。
【図４】見込寸法が異なるサッシ枠体を取付けた場合の縦断面図である。
【図５】見込寸法が異なるサッシ枠体を取付けた場合の横断面図である。
【図６】縦辷り出し窓を構成する場合のサッシの縦断面図である。
【図７】縦辷り出し窓を構成する場合のサッシの横断面図である。
【符号の説明】
【００４１】
１    サッシ枠体
２    補助枠体
３    パネル体
１０    サッシ上枠
１１    サッシ下枠
１２    サッシ縦枠
２０    補助上枠
２１    補助下枠
２２    補助縦枠
２３    カバー材
２４    内周面部
２５    室外固定面部
２６    内周突出部
２７    気密材
２８    枠固定片部
２９    室内固定部
３３    外装材
３４    内装材
【図１】
2010144468.tif 000003
【図２】
2010144468.tif 000004
【図３】
2010144468.tif 000005
【図４】
2010144468.tif 000006
【図５】
2010144468.tif 000007
【図６】
2010144468.tif 000008
【図７】
2010144468.tif 000009